(57)【要約】【課題】レンズユニットが交換可能な撮像装置であって、ファインダ観察位置と撮影退避位置とを往復運動する可動ミラーを備えている場合に、金属材料でなく樹脂材料を使用しながらも、帯電を効果的に抑えて塵の進入、付着を防止する。【解決手段】可動ミラーを構成するメインミラー７のメインミラー保持部材４１、及び、サブミラー６２のサブミラー保持部材６３を界面活性剤（帯電防止剤）を混入させた樹脂材料で成形することで、剥離帯電による静電気の発生を防止する。更に、光学ガラスで形成されているメインミラー７及びサブミラー６２の表面に界面活性剤をアルコール等の揮発性液体で希釈して塗布し、表面に界面活性剤皮膜を形成する。【選択図】図９
2007183407.tif 000002
【特許請求の範囲】
【請求項１】
レンズユニットが交換可能な撮像装置であって、
ファインダ観察位置と撮影退避位置とを往復運動する可動ミラーを備え、
前記可動ミラーがミラー部材及び保持部材により構成され、前記保持部材が界面活性剤を混入させた樹脂材料で成形されていることを特徴とする撮像装置。
【請求項２】
前記樹脂材料はポリカーボネート樹脂にＡＢＳ樹脂を含有させたものであることを特徴とする請求項１に記載の撮像装置。
【請求項３】
レンズユニットが交換可能な撮像装置であって、
ファインダ観察位置と撮影退避位置とを往復運動する可動ミラーを備え、
前記可動ミラーがミラー部材及び保持部材により構成され、前記ミラー部材の表面に界面活性剤皮膜が形成されていることを特徴とする撮像装置。
【請求項４】
前記ミラー部材の表面に界面活性材を揮発性液体で希釈したものを塗布することにより前記界面活性剤皮膜を形成することを特徴とする請求項３に記載の撮像装置。
【請求項５】
レンズユニットが交換可能な撮像装置であって、
ファインダ観察位置と撮影退避位置とを往復運動する可動ミラーを備え、
前記可動ミラーがミラー部材及び保持部材により構成され、前記保持部材が界面活性剤を混入させた樹脂材料で成形され、かつ、前記ミラー部材の表面に界面活性剤皮膜が形成されていることを特徴とする撮像装置。
【請求項６】
前記ファインダ観察位置で前記可動ミラーが当接するストッパ部材及び前記撮影退避位置で前記可動ミラーが当接するストッパ部材のうち少なくともいずれか一方が界面活性剤を混入させた樹脂材料で成形されていることを特徴とする請求項１〜５のいずれか１項に記載の撮像装置。
【請求項７】
界面活性剤による帯電防止処理により表面抵抗を１０12Ω以下とすることを特徴とする請求項１〜６のいずれか１項に記載の撮像装置。
【発明の詳細な説明】
【技術分野】
【０００１】
本発明は、レンズユニットが交換可能な一眼レフカメラ等の撮像装置に関し、特に塵付着防止のために帯電防止処理を施した撮像装置に関する。
【背景技術】
【０００２】
塵付着防止技術として、帯電防止処理を施すことが一般的に知られている。例えば特許文献１には、携帯端末に内蔵するのに好適な小型で薄型の撮像装置において塵付着防止のために帯電防止処理を施すこと提案されている。
【０００３】
【特許文献１】特開２００５−８６７４６号公報
【発明の開示】
【発明が解決しようとする課題】
【０００４】
しかしながら、特許文献１に開示された撮像装置では、組み立て時に撮像装置内へ部品に付着して塵が入ることを防止するために、撮像素子を取り囲む部材に帯電防止処理を施すという一般技術を提示しているに過ぎない。
【０００５】
レンズユニットが交換可能な一眼レフカメラにおいて塵付着が問題視される点として、ファインダを構成するピント板近傍に付着した塵がファインダ像として見えてしまうことがある。さらに、デジタル一眼レフカメラにおいては、撮像素子近傍に付着した塵が撮影画像に写り込んでしまうことがある。
【０００６】
レンズユニットが交換可能な一眼レフカメラでは、製造工程で厳重管理した上で製品を出荷しても、ユーザが使用する過程で塵が付着してしまうことがある。例えばレンズユニットを交換するためにカメラマウントから取り外したときに、カメラマウント開口部を介してミラーボックスが外界の空気にさらされ、塵が進入することがある。
【０００７】
本願発明者らが実験検討を行った結果、撮影動作を行うと可動ミラーが帯電し、その帯電により、レンズユニットをカメラ本体から取り外したときに、カメラマウント開口部からミラーボックス内に塵が吸引されてしまうことが判明した。具体的には、可動ミラーがファインダ観察位置と撮影退避位置とを往復運動するためにストッパ部材から離れる際に、剥離帯電現象が発生して帯電することが確認された。
【０００８】
この帯電現象は、可動ミラーやストッパ部材がプラスチック樹脂製とされている場合に顕著に現れる。可動ミラーやストッパ部材を金属製とすれば帯電現象を抑えることもできるが、それではコストアップや重量の増大の要因となってしまう。
【０００９】
上記特許文献１には、上述したようなレンズユニットが交換可能な一眼レフカメラに固有の問題点、及び、その対策について一切開示されていない。
【００１０】
本発明は上記のような点に鑑みてなされたものであり、レンズユニットが交換可能な撮像装置であって、ファインダ観察位置と撮影退避位置とを往復運動する可動ミラーを備えている場合に、金属材料でなく樹脂材料を使用しながらも、帯電を効果的に抑えて塵の進入、付着を防止することを目的とする。
【課題を解決するための手段】
【００１１】
本発明による撮像装置は、レンズユニットが交換可能な撮像装置であって、ファインダ観察位置と撮影退避位置とを往復運動する可動ミラーを備え、前記可動ミラーがミラー部材及び保持部材により構成され、前記保持部材が界面活性剤を混入させた樹脂材料で成形されている点に特徴を有する。
本発明による別の撮像装置は、レンズユニットが交換可能な撮像装置であって、ファインダ観察位置と撮影退避位置とを往復運動する可動ミラーを備え、前記可動ミラーがミラー部材及び保持部材により構成され、前記ミラー部材の表面に界面活性剤皮膜が形成されている点に特徴を有する。
本発明による別の撮像装置は、レンズユニットが交換可能な撮像装置であって、ファインダ観察位置と撮影退避位置とを往復運動する可動ミラーを備え、前記可動ミラーがミラー部材及び保持部材により構成され、前記保持部材が界面活性剤を混入させた樹脂材料で成形され、かつ、前記ミラー部材の表面に界面活性剤皮膜が形成されている点に特徴を有する。
【発明の効果】
【００１２】
本発明によれば、レンズユニットが交換可能な撮像装置であって、ファインダ観察位置と撮影退避位置とを往復運動する可動ミラーを備えている場合に、可動ミラーの保持部材を界面活性剤を混入させた樹脂材料で成形したり、可動ミラーのミラー部材の表面に界面活性剤皮膜を形成したりすることにより、金属材料でなく樹脂材料を使用しながらも、帯電を効果的に抑えて塵の進入、付着を防止することができる。これにより、コストアップや重量の増大を避けるとともに、塵がファインダ像として見えてしまったり、デジタル一眼レフカメラにおいて塵が撮影画像に写り込んでしまったりすることを防ぐことができる。
【発明を実施するための最良の形態】
【００１３】
以下、添付図面を参照して、本発明の好適な実施形態について説明する。図１は本発明を適用した実施形態に係るデジタル一眼レフカメラの斜視図である。図１において、１はカメラ本体である。２は撮影を指示するレリーズボタンである。
【００１４】
３は内蔵ストロボ、４はストロボ緊定フック、５はストロボ緊定部である。図示したのは、内蔵ストロボ３が発光位置に移動している状態（ポップアップ状態）である。内蔵ストロボ３は不図示のストロボアップバネで発光位置方向に付勢されており、収納位置においては、ストロボ緊定フック４がストロボ緊定部５に係止することで保持される。
【００１５】
６はミラーボックスであり、メインミラー７が駆動する空間を撮影光軸方向に囲う形で構成する。通常は撮影光束が内面反射を起こさないように、その表面に遮光紙を設ける等の処理が施されている。７は撮影光束をファインダ光学系に反射して導くためのメインミラーである。
【００１６】
図２は外装部品を取り除いたデジタル一眼レフカメラの内部機構を示す正面図であり、図３は斜視図である。また、図４は内部機構の主要ユニットの分解斜視図である。なお、図１と同一の構成要素については、同一の符号を付して説明する。
【００１７】
図２乃至図４において、８はメインミラー７で反射した撮影光束を更に接眼部に反射するペンタミラーであり、通常はプリズムやミラーの貼り合わせにより構成される。９はミラーボックス６等の構造体や外装部品を固定・支持するためのメインベースプレートであり、プレス加工等により成形される。
【００１８】
１０はメインミラー７を駆動し、内蔵ストロボ３をポップアップし、シャッタユニット１２のシャッタ羽根をチャージさせるためのモータであり、その出力軸は後述するギアトレイン部に接続されている。１１はモータ地板であり、モータ１０はモータ地板１１を介してミラーボックス６の側面に固定されている。１２はシャッタユニットである。
【００１９】
１３は電池１４を収納するための電池収納部であり、メインベースプレート９に固定されている。１４はカメラ本体１に対して着脱可能とされた電池であり、図示例では電池収納部１３に収納された状態にある。
【００２０】
モータ１０は、電池収納部１３の上部であって、出力軸がミラーボックス６に直交するように、すなわち撮影光軸と直交する方向に配置されている。モータ１０の外形は、電池収納部１３の上面に倣う形に略小判型をした形状となっている。このようなモータ１０を採用することで、モータ１０の出力軸と電池収納部１３の上面との間隔を狭くすることが可能となる。
【００２１】
図５はミラーボックス６の周辺の構成を詳細に示す分解斜視図である。メインミラー保持部材４１は、メインミラー７を保持し、メインミラー７と一体になって駆動される部材である。
【００２２】
シャッタユニット１２内のシャッタ羽根４５は、露光時の走行方向に不図示のバネで付勢されており、後述のチャージ動作とバネ開放動作により開閉動作を行う。
【００２３】
図５においては、図２乃至図４には図示しなかったストロボ緊定フック４を含むストロボギアユニット５５を図示している。ストロボギアユニット５５は、モータ１０の駆動力を伝達し、ポップアップ方向に不図示のバネで付勢された内蔵ストロボ３を収納位置で保持するストロボ緊定フック４を開放して、内蔵ストロボ３をポップアップさせるものである。
【００２４】
図６乃至図８はミラーボックス６の側面に配置されたギアの動作を説明するための図である。２１はピニオンギアであり、モータ１０の出力軸に固着されている。２２はモータ減速ギアであり、太陽ギア２３にモータ駆動力を伝達する。２３は太陽ギアである。２４は遊星ギアであり、太陽ギア２３の周りを所定角の範囲で公転する。
【００２５】
２５はミラー減速ギア、２６はミラー伝達ギア、２７はミラーカムギアである。これらのギア２５、２６、２７によってミラー駆動レバー３０が駆動され、メインミラー７の上下往復運動を行う。なお、ミラーアップスプリング３２とミラーダウンスプリング３３の作用により、駆動状態に応じてそれぞれの方向に付勢される。
【００２６】
２８はシャッタ伝達ギア、２９はシャッタカムギアである。これらのギア２８、２９を介したモータ１０の駆動力と、シャッタ駆動レバー３１とシャッタ駆動レバースプリング３４との作用によって、シャッタ羽根４５の開閉動作を行う。
【００２７】
ピニオンギア２１以外のギアとレバーは、遊星ギア２４を除き、ミラーボックス６に一体的に形成されている軸にそれぞれ回転可能に軸支されており、ミラーボックス６にビス止めされているモータ地板１１により挟み込まれている。
【００２８】
次に、図６乃至図８を参照して、デジタル一眼レフカメラの一連の動作の流れについて説明する。図６はスタンバイ状態を、図７はミラーアップ状態を、図８はストロボアップ駆動状態をそれぞれ示している。
【００２９】
図６に示すスタンバイ状態とは、ミラーダウン及びシャッタチャージが終了した状態である。ミラー駆動レバー３０は、ミラーアップスプリング３２によりミラーアップ方向、図中の時計周り方向に付勢されているが、ミラーカムギア２７のカム部２７ａのカムトップ位相と当接しており、ミラーダウン状態を保持している。
【００３０】
メインミラー７はメインミラー保持部材４１に保持され、メインミラー保持部材４１は、メインミラー保持部材回転軸４２を中心にミラーボックス６に対して回転可能に軸支されている。メインミラー７は、メインミラー保持部材４１のメインミラー保持部材駆動軸４３が、ミラー駆動レバー３０とミラーダウンスプリング３３の間に挟み込まれて保持されているので、ミラー駆動レバー３０の動作によりミラーアップ又はミラーダウンする。
【００３１】
撮影者が撮影指示のためにレリーズボタン２を押下すると、モータ１０は逆転方向に回転するように通電され、すなわちピニオンギア２１は時計周りに回転する。これにより、モータ減速ギア２２、太陽ギア２３、遊星ギア２４、ミラー減速ギア２５、ミラー伝達ギア２６、ミラーカムギア２７の順に駆動力が伝達され、ミラーカムギア２７は時計回り方向に回転する。さらに、シャッタ伝達ギア２８、シャッタカムギア２９と駆動力が伝達され、シャッタカムギア２９も時計周り方向に回転する。
【００３２】
ミラーカムギア２７が時計回り方向に回転すると、ミラー駆動レバー３０とミラーカムギア２９のカム部２７ａとの当接位置はカムトップからカムボトムに移動する。この動作により、ミラー駆動レバー３０はミラーアップスプリング３２によって付勢されているため、時計回り方向に回転する。これにより、ミラー駆動レバー３０とミラーダウンスプリング３３の間で保持されているメインミラー保持部材駆動軸４３が上方向に移動し、メインミラー７がミラーアップ状態になる。なお、ミラーアップ状態が完了すると、モータ１０への通電を中止し、モータ１０は停止する。
【００３３】
シャッタ駆動レバー３１も同様に、シャッタカム２９の時計周り方向の回転駆動によって、時計周り方向に回転し、シャッタユニット１２を駆動し、シャッタ羽根４５を露光走行可能な状態とする。
【００３４】
図７に示すミラーアップ状態とは、シャッタ羽根４５の露光走行待ちの状態である。シャッタ羽根４５が露光走行後、モータ１０は逆転方向に回転するように通電される。その結果、ミラーカムギア２７とシャッタカムギア２９は、上述したのと同様に時計回り方向に回転する。
【００３５】
ミラーカムギア２７が時計回り方向に回転すると、ミラー駆動レバー３０とミラーカムギア２９のカム部２７ａとの当接位置はカムボトムからカムトップに移動する。この動作により、ミラー駆動レバー３０はミラーアップスプリング３２の付勢力に抗して、図中反時計回り方向に回転する。これにより、ミラー駆動レバー３０とミラーダウンスプリング３３の間で保持されているメインミラー保持部材駆動軸４３が下方向に移動し、メインミラー７がミラーダウン状態になる。
【００３６】
シャッタ駆動レバー３１も同様に、シャッタカム２９の時計周り方向の回転駆動によって、反時計周り方向に回転し、シャッタユニット１２を駆動し、シャッタ羽根４５の付勢バネ力に抗して、スタンバイ状態とする。なお、シャッタユニット１２のスタンバイ状態への移行が完了すると、モータ１０への通電を中止し、モータ１０は停止する。すなわち、図６に示すスタンバイ状態に復帰する。
【００３７】
図８に示す状態はストロボアップ駆動状態である。図６に示すスタンバイ状態において、レリーズボタン２が押下され、被写体の条件により内蔵ストロボ３の発光が必要であると不図示のＣＰＵが判断した場合や、撮影者の意図により不図示の内蔵ストロボアップボタンが押下された場合に、モータ１０は正転方向に回転するように通電される。すなわち、ピニオンギア２１は図中反時計周りに回転し、モータ減速ギア２２、太陽ギア２３と駆動力が伝達され、太陽ギア２３は反時計方向に回転する。これにより、遊星ギア２４は、ミラー減速ギア２５との噛合いから外れ、反時計方向に公転し、ストロボ減速ギア５１と噛合い、駆動力を伝達する。ストロボ減速ギア５１はストロボカムギア５２に駆動力を伝達し、ストロボカムギア５２は時計回り方向に回転する。
【００３８】
ストロボカムギア５２が時計周り方向に回転すると、不図示のカム部がストロボ緊定フック４の緊定フックカム当接部４ａと当接して下方向に押し下げ、ストロボ緊定フック４は反時計方向に回転する。この動作により、ストロボ緊定フック４とストロボ緊定部５との係止が外れ、不図示の付勢バネによってアップ方向に付勢された内蔵ストロボ３は、発光位置まで押し上げられる。
【００３９】
次に、以上述べたデジタル一眼レフカメラにおける可動ミラーの構成について説明する。図９は本実施形態に係るデジタル一眼レフカメラの構成を示す中央断面図であり、図１０はメインミラー７及びサブミラー６２の動作範囲を示す図である。
【００４０】
図９は不図示のレンズユニットを取り外した状態を示すが、レンズユニットの装着時はカメラマウント６１で結合可能とされている。本実施形態のデジタル一眼レフカメラでは、可動ミラーは、メインミラー保持部材４１に保持されたメインミラー７と、サブミラー保持部材６３に保持されたサブミラー６２とにより構成される。
【００４１】
メインミラー保持部材４１は、既述したように、ミラーボックス６に対してメインミラー保持部材回転軸４２を中心に回転可能に軸支され、既述した駆動機構によりアップダウン動作を行う。
【００４２】
また、サブミラー保持部材６３は、メインミラー保持部材４１に軸支され、メインミラー保持部材４１の動きに連動して動作する。
【００４３】
図９に示すミラーダウン状態はファインダ観察状態であり、不図示のレンズユニットを通過した撮影光束はハーフミラーであるメインミラー７で反射、透過光束に分離される。反射した光束はファインダへ導かれ、透過した光束はＡＦ系へ導かれる。ファインダへ導かれた光束はピント板６４で結像する。ピント板６４の状態は、ペンタミラー８、接眼レンズ６５〜６７を介して撮影者が観察可能となる。ＡＦ系へ導かれた光束はサブミラー６２で全反射し、フィールドレンズ６８、全反射ミラー６９、二次結像レンズ７０を介してＡＦセンサ７１へ導かれる。
【００４４】
図１０はメインミラー７及びサブミラー６２の動作範囲を示す図である。Ａが図９に示すファインダ観察位置、Ｂが撮影退避位置を示す。また、Ｃはメインミラー先端の回動軌跡を示す。
【００４５】
ファインダ観察位置Ａにおいては、メインミラー保持部材４１がストッパ部材７２に当接し、位置決めされている。ストッパ部材７２は、ミラーボックス６と一体的に設けられているが、別部品で構成してもよい。このとき、サブミラー保持部材６３も、不図示のストッパ保持部材で位置決めされている。
【００４６】
撮影退避位置Ｂにおいては、メインミラー保持部材４１がストッパ部材７３に当接し、位置決めされている。ストッパ部材７３は、ペンタホルダ６に設けられている。このとき、サブミラー保持部材６３は、メインミラー保持部材４１に当接することで位置決めされている。なお、サブミラー保持部材６３は不図示のトグル反転スプリングの作用で、ファインダ観察位置Ａと撮影退避位置Ｂにバネ付勢されている。
【００４７】
撮影退避位置Ｂにおいては、不図示のレンズユニットを透過した光束は、可動ミラーが退避しているため直進し、シャッタ羽根４５に到達する。シャッタ羽根４５が動作し開口ができると、光学フィルタ７５を透過して撮像素子７６へ到達する。光学フィルタ７５は光学ローパスフィルタ及び赤外線カットフィルタを貼り合わせて一体化したものである。
【００４８】
以上述べたように、大きな撮像素子７６を搭載するデジタル一眼レフカメラでは、ピント板６４やメインミラー７を小型化することが難しい。そのため、光学フィルタ７５と撮像素子７６との間の間隔を広げるような構成にすることが困難である。そのため、光学フィルタ７５上に付着した塵等の異物と撮像素子７６との間の距離が近くなり、異物の影が大きくボケることなく撮像素子７６上の被写体像に入ってしまう。このような状態で撮影した画像は、異物の黒い影が入ったのものとなり、画像の品位が大幅に低下するため、異物がカメラ内に進入しない工夫が必要となる。
【００４９】
また、ピント板６４に塵が付着しても、ファインダ画像に塵が見えてしまうためファインダ品位を大きく損なうことになり、なんらかの対策が必要となる。
【００５０】
更に、ＡＦ系に関しても、フィールドレンズ６８に塵が付着するとＡＦ機能に障害が出るおそれがあり、なんらかの対策が必要となる。
【００５１】
上述したようにミラーボックス６内に塵が進入すると、一眼レフカメラの著しい品質低下を招くおそれがある。そのため、製造工程においては、徹底した品質管理の下、ミラーボックス６内に塵を残さないよう防塵室を使った組み立て、更には最終工程における徹底した塵のチェック等が行われている。
【００５２】
ところが、レンズユニットが交換可能な一眼レフカメラにおいては、既述したように、ユーザが使用する過程で、頻繁にレンズユニットを交換する機会がある。レンズユニットを取り外した状態では、カメラマウント６１の開口部を介してミラーボックス６が外界の空気にさらされ、塵が進入する危険性が高い。
【００５３】
以下、レンズユニットをカメラマウントから取り外した状態におけるミラーボックス６内への塵の進入防止策について説明する。結論から述べると、ミラーボックス６内における静電気の発生を防止し、外部の塵を吸引してしまうことを避けるようにしている。
【００５４】
静電気の発生要因で注目すべき点は、可動ミラーを構成するメインミラー保持部材４１及びサブミラー保持部材６３である。一般に普及価格帯の一眼レフカメラの場合、メインミラー保持部材４１やサブミラー保持部材６３は、製造コスト低減、軽量化の目的でプラスチック樹脂で成形されている。そのため、ミラーダウン状態からアップ開始する時、及び、ミラーアップ状態からダウン開始する時に、ストッパ部材７２、７３との間で剥離帯電現象が発生し、可動ミラーに静電気が帯電することが確認された。このように剥離帯電現象が発生して帯電することが要因となって、カメラマウント６１の開口部を介して、外部の塵を呼び込んでしまうことが判明した。
【００５５】
この場合に、金属部品を多用して帯電を防止することも可能であるが、製造コストの著しい増大、カメラ重量の増大等を招いてしまう。
【００５６】
そこで、プラスチック樹脂を使う基本構成のまま目的を達成するようにしている。まず、第１の対策は、メインミラー保持部材４１及びサブミラー保持部材６３を界面活性剤（帯電防止剤）を混入させた樹脂材料で成形することである。界面活性剤を混入させた樹脂材料では、界面活性剤がブリードして表面に導電層が形成され、静電気を漏洩させることができ、剥離帯電による静電気の発生を防止することができる。このような界面活性剤の代表的商品としては、エレクトロストリッパー（花王株式会社）等が知られている。
【００５７】
この場合に、樹脂材料として、強度を保証するためポリカーボネート樹脂を使用するのが好ましい。ただし、ポリカーボネート樹脂だけだと成形温度が高すぎ、界面活性剤を破壊するおそれがあるため、ＡＢＳ樹脂を３０％程度ブレンドするのが望ましい。更なる強度保証のためにガラス繊維も混入させた成形材料とするのが更に望ましい。
【００５８】
第２の対策は、光学ガラスで形成されているメインミラー７及びサブミラー６２の表面に界面活性剤をアルコール等の揮発性液体で希釈して塗布し、表面に界面活性剤皮膜を形成することである。界面活性剤の希釈率は５０倍〜２００倍程度が好ましい。
【００５９】
以上述べた第１の対策及び第２の対策において最も効果を発揮させるためには、一般に文献等でも知られているように、表面抵抗を１０12Ω以下とするように界面活性剤の配合比率を調整するのが望ましい。
【００６０】
更に、本実施形態においては、ミラーボックス６、ストッパ部材７２、ストッパ部材７３、ペンタホルダ７４も界面活性剤を混入させた樹脂材料で成形し、ミラーボックス６内の帯電防止効果を高めている。
【００６１】
更にまた、本実施形態では、塵が付着すると直接問題を起こす箇所にも対策を施している。具体的には、光学フィルタ７５、ピント板６４、フィールドレンズ６８の表面に界面活性剤をアルコール等の揮発性液体で希釈して塗布し、表面に界面活性剤皮膜を形成している。
【００６２】
以上述べたように、構造材としての樹脂材料には、界面活性剤を混入させた成形材料を使用し、帯電防止効果を発揮させ、また、レンズ等の光学部材には、表面に界面活性剤皮膜を形成して、帯電防止効果を発揮させることが有効な手段となる。
【００６３】
なお、本実施形態ではデジタル一眼レフカメラに本発明を適用した例を説明したが、銀塩フィルムを使う一眼レフカメラに適用することも可能である。
【図面の簡単な説明】
【００６４】
【図１】実施形態に係るデジタル一眼レフカメラの斜視図である。
【図２】実施形態に係るデジタル一眼レフカメラの外装部品を取り除いた内部機構を示す正面図である。
【図３】実施形態に係るデジタル一眼レフカメラの外装部品を取り除いた内部機構を示す斜視図である。
【図４】内部機構の主要ユニットの分解斜視図である。
【図５】ミラーボックスの周辺の構成を示す分解斜視図である。
【図６】ミラーボックス側面図であって、スタンバイ状態を示す図である。
【図７】ミラーボックス側面図であって、ミラーアップ状態を示す図である。
【図８】ミラーボックス側面図であって、ストロボアップ駆動状態を示す図である。
【図９】本実施形態に係るデジタル一眼レフカメラの構成を示す中央断面図である。
【図１０】メインミラー及びサブミラーの動作範囲を示す図である。
【符号の説明】
【００６５】
６  ミラーボックス
７  メインミラー
８  ペンタミラー
１０  モータ
４１  メインミラー保持部材
４２  メインミラー保持部材回転軸
４５  シャッタ羽根
６１  カメラマウント
６２  サブミラー
６３  サブミラー保持部材
６４  ピント板
６５〜６７  接眼レンズ
６８  フィードレンズ
７１  ＡＦセンサ
７２  ストッパ部材
７３  ストッパ部材
７５  光学フィルタ
７６  撮像素子
【図１】
2007183407.tif 000003
【図２】
2007183407.tif 000004
【図３】
2007183407.tif 000005
【図４】
2007183407.tif 000006
【図５】
2007183407.tif 000007
【図６】
2007183407.tif 000008
【図７】
2007183407.tif 000009
【図８】
2007183407.tif 000010
【図９】
2007183407.tif 000011
【図１０】
2007183407.tif 000012